【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
ドラム状の感光体と、前記感光体を支持するためのフランジを結合した電子写真感光体において、
外周に感光層を有する中空円筒形の金属製感光体と、
前記感光体を支持するための樹脂製フランジと、
前記感光体及びフランジに夫々固定された結合部材と、
を有することを特徴とする電子写真感光体。
【請求項２】
前記感光体の端面は前記フランジの端面に接することを特徴とする請求項１に記載の電子写真感光体。
【請求項３】
前記結合部材には感光体の内周に嵌合した円筒形嵌合部とこの円筒形嵌合部につづく端面が設けられ、前記感光体の端面は前記結合部材の端面に接していることを特徴とする請求項１に記載の電子写真感光体。
【請求項４】
前記結合部材の端面は結合部材外周に設けたつばの端面であることを特徴とする請求項３に記載の電子写真感光体。
【請求項５】
前記結合部材は前記感光体に圧入される円筒形嵌合部と、前記フランジの端面に接する平面部を有することを特徴とする請求項１に記載の電子写真感光体。
【請求項６】
前記結合部材はリング状であって前記平面部は円筒形嵌合部に内つばとして設けてあることを特徴とする請求項５に記載の電子写真感光体。
【請求項７】
ドラム状の感光体と、前記感光体を支持するためのフランジを結合した電子写真感光体において、
外周に感光層を有する中空円筒形の金属製感光体と、
前記感光体の端部内周に圧入された円筒部とこの円筒部の中心線に直角な平面部を有する金属製結合部材と、
前記結合部材の平面部に接する端面を有し、前記結合部材に固定された樹脂製フランジと、
を有することを特徴とする電子写真感光体。
【請求項８】
前記フランジと前記結合部材の結合部はフランジの端面に一体に突設したボスを結合部材の平面部に設けた穴に嵌入し、このボスの一部を熱カシメしたことを特徴とする請求項７に記載の電子写真感光体。
【請求項９】
外周に感光層を有する中空円筒形の金属製感光体用基体と、
前記感光体を支持するためのフランジと、前記感光体及び夫々フランジに固定可能な結合部材とを準備して、
（１）前記フランジに結合部材を固定する
（２）前記結合部材を前記感光体に固定する
工程により電子写真感光体を得ることを特徴とする電子写真感光体の製造方法。
【請求項１０】
前記結合部材は金属材料を用いて絞り加工により製造されることを特徴とする請求項９に記載の電子写真感光体の製造方法。
【請求項１１】
前記結合部材は金属材料を用いて鍛造により製造されることを特徴とする請求項９に記載の電子写真感光体の製造方法。
【請求項１２】
金属で作られ、前記感光体の内周にしまりばめで嵌合する嵌合部と、前記フランジ端面に接する平面部を有し、貫通穴を有する平板状のつば部とを設けた結合部材と、この結合部材の嵌合部と前記結合部材のつば部の貫通穴に嵌入するボスを設けたフランジと、外周に感光層を有する中空円筒形であって前記結合部材の材質の熱膨張係数とほぼ等しい熱膨張係数を持つ金属で作られた基体を有する感光体と、
を準備して、
（１）前記結合部材の貫通穴に前記フランジのボスを嵌合して結合部材の平面部とフランジ端面を接し
（２）前記ボスの一部を熱カシメしてフランジと結合部材を一体とし
（３）一体となった結合部材とフランジの結合部材を感光体に嵌合固定して一体とする
工程でもって電子写真感光体を得ることを特徴とする電子写真感光体の製造方法。
【請求項１３】
前記結合部材と感光体の嵌合固定は、
（１）感光体を加熱して拡径する
（２）感光体が冷却しない間に結合部材を感光体に嵌合する
（３）感光体の冷却
によって行うことを特徴とする請求項１２に記載の電子写真感光体の製造方法。
【請求項１４】
前記感光体の加熱は高周波誘導加熱であることを特徴とする請求項１３に記載の電子写真感光体の製造方法。
【請求項１５】
感光体を竪置した状態で結合部材を感光体に嵌合することを特徴とする請求項１３又は１４に記載の電子写真感光体の製造方法。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本出願に係る第９の発明は外周に感光層を有する中空円筒形の金属製感光体用基体と、前記感光体を支持するためのフランジと、前記感光体及び夫々フランジに固定可能な結合部材とを準備して、
（１）前記フランジに結合部材を固定する
（２）前記結合部材を前記感光体に固定する
工程により電子写真感光体を得ることを特徴とする電子写真感光体の製造方法である。


【手続補正７】
【補正対象書類名】明細書
【補正対象項目名】００１８
【補正方法】変更
【補正の内容】
【００１８】
本出願に係る第１０の発明は前記結合部材は金属材料を用いて絞り加工により製造されることを特徴とする第９の発明に記載の電子写真感光体の製造法である。


【手続補正８】
【補正対象書類名】明細書
【補正対象項目名】００１９
【補正方法】変更
【補正の内容】
【００１９】
本出願に係る第１１の発明は前記結合部材は金属材料を用いて鍛造により製造されることを特徴とする第９の発明に記載の電子写真感光体の製造方法である。


【手続補正９】
【補正対象書類名】明細書
【補正対象項目名】００２０
【補正方法】変更
【補正の内容】
【００２０】
本出願に係る第１２の発明は金属で作られ、前記感光体の内周にしまりばめで嵌合する嵌合部と、前記フランジ端面に接する平面部を有し、貫通穴を有する平板状のつば部とを設けた結合部材と、この結合部材の嵌合部と前記結合部材のつば部の貫通穴に嵌入するボスを設けたフランジと、外周に感光層を有する中空円筒形であって前記結合部材の材質の熱膨張係数とほぼ等しい熱膨張係数を持つ金属で作られた基体を有する感光体と、を準備して、
（１）前記結合部材貫通穴に前記フランジのボスを嵌合して結合部材の平面部とフランジ端面を接し
（２）前記ボスの一部を熱カシメしてフランジと結合部材を一体とし
（３）一体となった結合部材とフランジの結合部材を感光体に嵌合固定して一体とする工程でもって電子写真感光体を得ることを特徴とする電子写真感光体の製造方法である。


【手続補正１０】
【補正対象書類名】明細書
【補正対象項目名】００２１
【補正方法】変更
【補正の内容】
【００２１】
本出願に係る第１３の発明は前記結合部材と感光体の嵌合固定は、
（１）感光体を加熱して拡径する
（２）感光体が冷却しない間に結合部材を感光体に嵌合する
（３）感光体の冷却
によって行うことを特徴とする第１２の発明に記載の電子写真感光体の製造方法である。


【手続補正１１】
【補正対象書類名】明細書
【補正対象項目名】００２２
【補正方法】変更
【補正の内容】
【００２２】
本出願に係る第１４の発明は前記感光体の加熱は高周波誘導加熱であることを特徴とする第１３の発明に記載の電子写真感光体の製造方法である。


【手続補正１２】
【補正対象書類名】明細書
【補正対象項目名】００２３
【補正方法】変更
【補正の内容】
【００２３】
本出願に係る第１５の発明は感光体を竪置した状態で結合部材を感光体に嵌合することを特徴とする第１３又は第１４の発明に記載の電子写真感光体の製造方法である。


【手続補正１３】
【補正対象書類名】明細書
【補正対象項目名】０１１７
【補正方法】変更
【補正の内容】
【０１１７】
本発明によれば外周に感光層を有する中空円筒形の金属製感光体と、前記感光体の端部内周に圧入された円筒部とこの円筒部の中心線に直角な平面部を有する金属製結合部材と、前記結合部材の平面部に接する端面を有し、前記結合部材に固定された樹脂製フランジと、を有することとしたことにより、環境安定性、画像特性の良い高品位な電子写真感光体を得ることができる。


【手続補正１４】
【補正対象書類名】明細書
【補正対象項目名】０１１９
【補正方法】変更
【補正の内容】
【０１１９】
上記において、実施の形態によれば、前記感光体と前記結合部材は同一の材質の金属材料または熱膨張係数がほぼ同一の金属材料を用いることにより、電子写真感光体の使用環境における温度変化によって結合部材と感光体との結合強度の変化が殆んどなく、従ってフランジと感光体との結合強度の変化は殆んどない。


【手続補正１５】
【補正対象書類名】明細書
【補正対象項目名】０１２０
【補正方法】変更
【補正の内容】
【０１２０】
上記において、実施の形態によれば、感光体と結合部材を夫々アルミニウムまたはアルミニウム合金とすることにより好適な結果を得ることができた。


【手続補正１６】
【補正対象書類名】明細書
【補正対象項目名】０１２１
【補正方法】変更
【補正の内容】
【０１２１】
上記において、実施の形態によれば、フランジをポリカーボネイトまたはポリアセタールとすることにより、結合部材とフランジの結合を熱カシメを好適に行えて強固にできる。